(57)【要約】ハウジング（１２），ハウジング（１２）内で第１位置から第２位置へと移動可能に摺動可能な注射針ハブ（３８），第１位置でハウジング内にあり第２位置でハウジングの外方に延出する末端突き刺し片（４２）及び基端突き刺し片（４４）を有する注射針（４０），注射針ハブを第１位置に向かい付勢するばね（２３），ハウジング（１２）内に設けられたカートリッジ受け入れ部材（４８），そしてカートリッジ（２６）及び注射針ハブ（３８）を第１位置から第２位置へと移動させるようカートリッジ受け入れ部材（４８）に圧力を負荷する為のプランジャー棒組立体（６６）を備えている注入装置（１０）であって、プランジャー棒組立体（６６）及びカートリッジ受け入れ部材（４８）が、カートリッジ棒組立体が押された時、回転移動がカートリッジ受け入れ部材（４８）に付与されて注射後にカートリッジへの接近を阻止するよう構成されている。【選択図】    図１
2013521020.tif 000002
【特許請求の範囲】
【請求項１】
側壁に開口（１９）があるハウジング（１２）と；
末端突き刺し片（４２）及び基端突き刺し片（４４）を有する注射針（４０）が設けられていて、前記末端突き刺し片（４２）が前記ハウジング（１２）内にある第１位置から前記末端突き刺し片（４２）が前記ハウジング（１２）の外方に延出する第２位置へと前記ハウジング（１２）内で移動可能に摺動可能に設けられている注射針ハブ（３８）と；
前記注射針ハブ（３８）を前記第１位置に向かい付勢しているばね（２３）と；
前記ハウジング内に設けられ、前記ハウジング（１２）の前記側壁の前記開口（１９）を介して接近可能なカートリッジ受け入れ部材（４８）と；そして、
前記カートリッジ（２６）及び前記注射針ハブ（３８）を前記第１位置から前記第２位置へと移動させるよう前記カートリッジ受け入れ部材（４８）に圧力を負荷するプランジャー棒組立体（６６）と、を備えていて、
前記プランジャー棒組立体（６６）及び前記カートリッジ受け入れ部材（４８）が、前記カートリッジプランジャーが前記基端突き刺し片により突き刺されるよう前記プランジャー棒組立体が押された時、回転移動が前記カートリッジ受け入れ部材（６６）に付与されて前記ハウジングの前記側壁の前記開口を介して前記カートリッジに接近することを阻止する協働手段を有している、
注入装置。
【請求項２】
前記カートリッジ受け入れ部材（４８）と前記注射針ハブ（３８）とが一体である、請求項１の注入装置。
【請求項３】
前記プランジャー棒組立体（６６）が押し棒（７６）及び部分的に前記押し壁を取り囲んでいる上方部分壁（７４）を有していて、前記上方部分壁（７４）が前記押し棒（７６）よりも大きな長さを有している、請求項２の注入装置。
【請求項４】
前記上方部分壁（７４）が傾斜された隅（７５）を有していて、前記カートリッジ受け入れ部材（４８）がカートリッジ受け入れ部材部分壁を有していて、前記カートリッジ受け入れ部材部分壁が、前記カートリッジ受け入れ部材（４８）の上方への押しを許容するよう前記上方部分壁（７４）上の前記傾斜された隅（７５）と係合する先細にされている隅（６２）を有している、請求項３の注入装置。
【請求項５】
前記上方部分壁（７４）と前記カートリッジ受け入れ部材部分壁との接触が、前記カートリッジ受け入れ部材（４８）を回転させ、それにより前記カートリッジ受け入れ部材部分壁に前記ハウジングの前記開口を閉じさせてそこからの前記カートリッジの取り出しを阻止する、請求項４の注入装置。
【請求項６】
前記ハウジングはその内表面に突起を有しており、前記カートリッジ受け入れ部材は第１及び第２溝を有しており、前記第２溝は前記カートリッジ受け入れ部材のさらなる移動を阻止するよう前記ハウジングの前記内表面の前記突起と係合するようその中に形成された凹所を有している、請求項５の注入装置。
【発明の詳細な説明】
【技術分野】
【０００１】
この発明は、医療装置に関係しており、そして、より詳細には注入装置（injection device）に関係している。
【背景技術】
【０００２】
注入装置は、薬を取り扱う為に使用されている。多くの知られている注入装置があり、その最も普通なものは注射器（syringe）である。知られている注射器は基本的に、その注入端に設けられている注射針を有している円筒形状チューブと、その他端に設けられているプランジャーと、を備えている。注射針とプランジャーとの中間は注射される物質である。
【０００３】
注射器はしばしば予め満たされていて、これは多くの薬剤の為には満足されているが、或る温度に維持されなければならない他の薬剤の為には好ましくない。この温度基礎は、通常、貯蔵目的の為に、予め充填されている注射器の冷蔵を要求する。予想されることは、従来の注射器の貯蔵の為には大きな空間が要求されることである。
【０００４】
従来の注射器に伴うさらなる問題は、注射を行う人の保護である。しばしば注射される薬剤は、注射器を使用する医療従事者に危険を提供することが出来る。この問題は良く知られていて、そして、注射を行う人に保護を与える為の多くの異なった装置又は構造が提案されている。
【発明の概要】
【０００５】
この発明の目的は、注射を行う人に誤った突き刺しからの保護を提供する注入装置を提供することである。
【０００６】
この発明のさらなる目的は、冷蔵する必要がなく薬剤の小瓶（vial）を受け入れることが出来て薬剤を安全に患者に注射出来る注入装置を提供することである。
【０００７】
この発明の１つの概念に従えば、ハウジング，ハウジングの側壁の開口，末端突き刺し片及び基端突き刺し片を有する注射針が設けられていて、前記末端突き刺し片が前記ハウジング内にある第１位置から前記末端突き刺し片が前記ハウジングの外方に延出する第２位置へと前記ハウジング内で移動可能に摺動可能に設けられている注射針ハブ，前記注射針ハブを前記第１位置に向かい付勢しているばね，前記ハウジング内に設けられ、前記ハウジングの前記側壁の前記開口を介して接近可能なカートリッジ受け入れ部材，そして、前記カートリッジ及び前記注射針ハブを前記第１位置から前記第２位置へと移動させるよう前記カートリッジ受け入れ部材に圧力を負荷するプランジャー棒組立体，を備えていて、前記プランジャー棒組立体及び前記カートリッジ受け入れ部材が、前記カートリッジプランジャーが前記基端突き刺し片により突き刺されるよう前記プランジャー棒組立体が押された時、回転移動が前記カートリッジ受け入れ部材に付与されて前記ハウジングの前記側壁の前記開口を介して前記カートリッジに接近することを阻止する協働手段を有している、注入装置が提供される。
【０００８】
この発明の注入装置は典型的には、資格のある医療従事者により患者に薬を投与する為に使用される。しかしながら、この発明の権利範囲はこのような構成に限定されないことを理解すべきである。幾つかの例では、患者はこの発明の装置を使用して自己注射して良い。さらには、この装置は薬の注射を要求している如何なる動物にも使用されることが出来る。
【０００９】
ここで使用された時、末端はそこを介して注射が行われる端を引用しており、同時に、基端は注射を行う人の手により近い端である。
【００１０】
注入装置は、ガラス，プラスチック，金属材料，これらの組み合わせ，その他を含んでいる、如何なる適切な材料で形成されて良い。当該技術分野において知識のある人々が、この装置の製造の為に最も適切な材料を選択することは十分なことであるといえる。
【００１１】
ハウジングは、この発明の種々の構成要素を包含するよう機能し、そして、成型プラスチック又は同様のもので形成されて良いことが好ましい。ハウジングはまた、ここの以下により詳細に記載される如く動きを補助するよう他の構成要素と相互に作用する。
【００１２】
注射針ハブは、末端突き刺し片と基端突き刺し片とを有している注射針を受け入れるよう構成されている。末端突き刺し片は典型的な注射突き刺し片であり、当該技術分野において知られている如く比較的小さな直径である。
【００１３】
カートリッジ受け入れ部材は、好適な実施形態においては、注射針ハブと一体的に形成されていて、そして当然それとともに移動可能である。
【００１４】
カートリッジ受け入れ部材はさらに、カートリッジの周りを部分的に延出する部分壁を有することによりさらに特徴付けされている。残りは、ハウジングの開口を介しカートリッジを受け入れるよう開放されている。しかしながら、プランジャー棒の上方への移動により、カートリッジ受け入れ部材は、ハウジングの開口がカートリッジ受け入れ部材部分壁により覆われるよう回転をされる。さらには、カートリッジに対する接近が提供されない位置にある時、カートリッジ受け入れ部材はその初期位置へと戻るよう回転することが出来ない。
【図面の簡単な説明】
【００１５】
従って、この発明が概略的に記載されるが、参照はその実施形態を図示している同封の図面に対しなされる。
【図１】図１は、装置及びカートリッジを図示している側断面図である。
【図２】図２は、装置中へのカートリッジの装填を図示している側断面図である。
【図３】図３は、隔膜の突き刺しを伴っている装置中におけるカートリッジを図示している側断面図である。
【図４】図４は、保持具内のカートリッジの初期移動を図示している側断面図である。
【図５】図５は、カートリッジ及び注射針ハブの更なる移動を図示している側断面図である。
【図６】図６は、プランジャー棒の更なる移動を図示している側断面図である。
【図７】図７は、カートリッジ内容物の移動の進行を図示している側断面図である。
【図８】図８は、カートリッジ内容物の注射の進行を図示している側断面図である。
【図９】図９は、注射針ハブ，カートリッジ，そしてカートリッジ保持具の後退移動を図示している側断面図である。
【図１０】図１０は、注射及び注射針の引き抜き後の装置を図示している側断面図である。
【図１１】図１１は、ハウジングの側断面図である。
【図１２】図１２は、注射針ハブ及びカートリッジ保持具の斜視図である。
【図１３】図１３は、注射針ハブ及びカートリッジ保持具のさらなる斜視図である。
【図１４】図１４は、プランジャー棒組立体の斜視図である。
【図１５】図１５は、プランジャー棒及び注射針ハブの初期係合を図示している斜視図である。
【図１６】図１６は、注射後の注射針ハブ及びプランジャー棒の位置を示している斜視図である。
【発明を実施するための形態】
【００１６】
図面を引用し、そしてそこに対する参照符号により、図１乃至図１０中には、この発明の装置（参照数字１０により概略的に示されている）が参照数字２６により全体が指摘されているカートリッジとともに図示されている。
【００１７】
装置１０は、外側が略円筒形状にされているハウジング１２を有している。フランジ１４がハウジング１２の基端に設けられていて、ハウジング１２の末端にはキャップ（cap）１６が設けられている。キャップ１６は、ハウジング１２の末端に螺合されている。キャップ１６には、そこを通った注射針の通過の為に穴（aperture）又は開口（opening）１７が設けられていることに注目して欲しい。以下に議論される理由の為に、フランジ１４に隣接した領域に細長溝１５が形成されている。
【００１８】
図１１中に見ることが出来るように、ハウジング１２の内表面に形成されている長手方向に延出しているリブ（rib）１８がある。リブ１８はハウジング１２の実質的な長さを延出して示されているが、多くの実施形態に要求されているのは上方又は末端部分のみである。リブ１８には、参照数字２０により全体が指摘されている凹所が設けられている。リブ１８はまた、傾斜された上端壁２２を有している。図１乃至図１０中に見られる如きカートリッジの挿入を許容するよう、開口１９がハウジング１２中に設けられている。
【００１９】
カートリッジ２６は標準的なカートリッジ又は小瓶（vial）であることが出来、患者に注射される薬剤を含む。カートリッジ２６は、当該技術分野においては従来の如く、隔膜（septum）２８及び隔膜２８を覆っているキャップ（cap）３０を有する。プランジャー３２が、薬剤３４の損失を無くすようカートリッジの基端においてカートリッジの内部に設けられている。
【００２０】
移動可能な注射針ハブ３８がハウジング１２の内部に設けられていて、そして、注射針４０が設けられている。注射針４０は患者への注射の為の末端突き刺し片４２及び薬剤３４への接近を提供する為にカートリッジ２６の隔膜２８を突き刺すよう構成されている末端突き刺し片４４を含む。
【００２１】
注射針ハブ３８は、上方円筒部分４６及びそこから下方に垂れ下がっている下方半円筒形状壁４８により規定されているカートリッジ受け入れ部材を有している。半円筒形状壁４８の外部には壁４８中に部分的に延びている凹所５０が形成されている。第１溝５４及び第２溝５６を規定するよう、持ち上げられた山部分５２が凹所５０内に配置されている。凹所６１が、突起６３により第２溝５６中に形成されている。持ち上げられた山部分５２の下方端には、小さな切れ込みを形成するよう側壁６０と合致した第１の傾斜された底壁５８が設けられている。反対側には、第２の傾斜された底壁６２が設けられている。さらなる傾斜された壁区域５９が、注射針ハブの上方部分の近くで注射針ハブ３８に設けられている。
【００２２】
参照数字６６により全体が指摘されているプランジャー棒組立体は、これ以下で議論される理由の為にそこに形成されている細長溝７２を有している拡大された部分７０がその上端に形成されている下方円筒形状部分６８を有している。リブ６５が、細長溝１５との係合の為に下方円筒形状部分６８の外部に形成されている。
【００２３】
プランジャー棒６６もまた、プランジャー３２を押すよう小瓶（vial）２６内に適合するような寸法にされている中央押し棒７６の回りに延出している上方部分壁７４を含む。上方部分壁７４の上方隅には、フック形状を有している凹所７５が設けられている。
【００２４】
図１及び図２中に見ることが出来るように、ハウジング１２中の開口１９を介して小瓶（vial）２６が挿入される。望まれるのであれば、挿入により下方突き刺し端４４により突き刺される隔膜（septum）２８を小瓶（vial）２６が有するよう構成されることが出来る。ばね２３が、注射針４０の上方部分の回りに延出している。
【００２５】
最初は、凹所部分７５が、先細にされている端壁６２に係合する。凹所７５のフックにされている性質が、二つの壁が突き刺し端４４が隔膜（septum）２８を突き刺すのに十分な時間間隔の間に接触を維持ことを確実にしている。プランジャー棒６６上への連続している圧力は隅７５及び７１に係合解除させ注射針ハブ３８に回転移動を付与させる。次には、これはリブ１８が第１溝５４に入ることを許容する。プランジャー棒６６上への連続した圧力は、隅７５を傾斜した壁５９に接触させる。これは、ハウジング１２に関する注射針ハブ３８の更なる回転を生じさせる。このさらなる回転はリブ１８の上端が溝５６中に入ることを生じさせる。そのようにすることにより、圧力はリブ１８の上端が凹所６１に入るまで負荷される。このリブは次に固定された位置にあり、注射針ハブ３８がばね２３により後方に押される。凹所６１内のリブ１８の上端の連続している係合は、注射針がその所定の場所に固定されている時に露出させることが出来ないことを確実にする。
【図１】
2013521020.tif 000003
【図２】
2013521020.tif 000004
【図３】
2013521020.tif 000005
【図４】
2013521020.tif 000006
【図５】
2013521020.tif 000007
【図６】
2013521020.tif 000008
【図７】
2013521020.tif 000009
【図８】
2013521020.tif 000010
【図９】
2013521020.tif 000011
【図１０】
2013521020.tif 000012
【図１１】
2013521020.tif 000013
【図１２】
2013521020.tif 000014
【図１３】
2013521020.tif 000015
【図１４】
2013521020.tif 000016
【図１５】
2013521020.tif 000017
【図１６】
2013521020.tif 000018
【国際調査報告】
2013521020.tif 000019
2013521020.tif 000020